(57)【要約】【課題】入力画像データが横長、縦長いずれの場合であっても、矩形状表示面の全面を有効に活用して表示することが可能なインターフェース装置、表示装置及び画像データ変換方法を提供する。【解決手段】インターフェース装置２は画像データ形成装置１から入力された入力画像データ１ａ、１ｂを表示装置３に適合した出力画像データ３ａ、３ｂに変換し、出力画像データ３ａ、３ｂを表示装置３へ出力する。縦走査方向解像度が横走査方向解像度より大きい場合には、インターフェース装置２は、入力画像データ１ｂの横走査方向１ｂｈが出力画像データ３ｂの副走査方向３ｂｓに対応し、入力画像データ１ｂの縦走査方向１ｂｖが出力画像データ３ｂの主走査方向３ｂｍに対応するように主副の走査方向を相互に置き換えて走査方向の変換をするものとする。【選択図】        図１
2004184745.tif 000002
【特許請求の範囲】
【請求項１】
画像データ形成装置から入力された入力画像データを表示装置に適合した出力画像データに変換して出力するインターフェース装置において、
入力画像データの横走査方向解像度及び縦走査方向解像度を検出する解像度検出手段と、
該解像度検出手段により検出された横走査方向解像度及び縦走査方向解像度を比較する解像度比較手段と、
入力画像データの縦走査方向解像度が横走査方向解像度より大きい場合に、入力画像データの縦走査方向画像データを出力画像データの主走査方向画像データに変換し、入力画像データの横走査方向画像データを出力画像データの副走査方向画像データに変換する走査方向変換手段と
を備えることを特徴とするインターフェース装置。
【請求項２】
前記解像度検出手段は、入力画像データの横走査方向又は縦走査方向それぞれにおける表示の開始位置及び終了位置を規定して入力画像データが有効となる期間を特定するデータ有効信号に基づいて、横走査方向解像度又は縦走査方向解像度を検出することを特徴とする請求項１記載のインターフェース装置。
【請求項３】
長辺及び短辺を有する矩形状表示面の長辺方向を主走査方向とする表示装置において、請求項１または２に記載のインターフェース装置を備えることを特徴とする表示装置。
【請求項４】
前記矩形状表示面の配置を縦長又は横長にするために矩形状表示面を回転する表示面回転手段を備えることを特徴とする請求項３記載の表示装置。
【請求項５】
画像データ形成装置から入力された入力画像データを表示装置に適合した出力画像データに変換して出力するインターフェース装置での画像データ変換方法において、
入力画像データの横走査方向解像度及び縦走査方向解像度を検出する過程と、検出された横走査方向解像度及び縦走査方向解像度を比較する過程と、
入力画像データの縦走査方向解像度が横走査方向解像度より大きい場合に、入力画像データの縦走査方向画像データを出力画像データの主走査方向画像データに変換し、入力画像データの横走査方向画像データを出力画像データの副走査方向画像データに変換して走査方向を変換する過程と
を備えることを特徴とする画像データ変換方法。
【発明の詳細な説明】
【０００１】
【発明の属する技術分野】
本発明は、インターフェース装置、表示装置及び画像データ変換方法に関する。
【０００２】
【従来の技術】
図７は従来のインターフェース装置での入力画像データから出力画像データへの画像データの変換を模式的に示す説明図である。同図（ａ）は、例えば画像「Ａ」を横長画像状態で表示するために入力画像データが横長に生成された場合を示し、（ｂ）は、例えば画像「Ｂ」を縦長画像状態で表示するために入力画像データが縦長に生成された場合を示す。１は画像データ形成装置であり、例えばパーソナルコンピュータなどで構成され、画像形成ソフトウエアなどを適宜用いて入力画像データ１ａ、１ｂを生成することができる。入力画像データ１ａ、１ｂは画像データ形成装置１からインターフェース装置２へ入力される。インターフェース装置２は入力画像データ１ａ、１ｂを表示装置３に適合した出力画像データ３ａ、３ｂに変換し、出力画像データ３ａ、３ｂを表示装置３へ出力する。表示装置３は長辺及び短辺を有する矩形状表示面３１を有し、矩形状表示面３１の周囲は枠部３２で囲まれる。表示装置３の配置状態は、通常は横長配置としてあり、矩形状表示面３１は横長表示面を構成している。通常、表示装置３での画像データの走査は、長辺方向を主走査方向としているから、長辺方向での走査を主走査方向３ａｍ、３ｂｍとして模式的に示し、短辺方向での走査は副走査方向３ａｓ、３ｂｓとして模式的に示す。なお、以下において、矩形状表示面３１に表示された状態と出力画像データ３ａ、３ｂとは同義に扱うことがある。
【０００３】
同図（ａ）において、入力画像データ１ａの横方向での走査を模式的に横走査方向１ａｈとして、縦方向での走査を模式的に縦走査方向１ａｖとして示す。画像データ形成装置１では、通常、横走査方向１ａｈが主走査方向、縦走査方向１ａｖが副走査方向を構成する。入力画像データ１ａでの主、副（横、縦）の走査方向は、矩形状表示面３１（表示装置３）での主、副（横、縦）の走査方向にそのまま対応するから、出力画像データ３ａの主、副（横、縦）の走査方向も入力画像データ１ａでの主、副（横、縦）の走査方向に対応して出力させる。つまり、入力画像データ１ａの横走査方向１ａｈは、出力画像データ３ａの主走査方向３ａｍに対応し、入力画像データ１ａの縦走査方向１ａｖは、出力画像データ３ａの副走査方向３ａｓに対応する。また、横長の画像データである入力画像データ１ａのサイズ比と矩形状表示面３１のサイズ比とはほぼ一致することから、入力画像データ１ａは出力画像データ３ａとして矩形状表示面３１に横長画像状態でそのまま表示される。つまり、矩形状表示面３１は、全面を表示面として利用される。
【０００４】
同図（ｂ）において、入力画像データ１ｂの横方向での走査を模式的に横走査方向１ｂｈとして、縦方向での走査状況を模式的に縦走査方向１ｂｖとして示す。画像データ形成装置１では、通常、横走査方向１ｂｈが主走査方向、縦走査方向１ｂｖが副走査方向を構成する。入力画像データ１ｂでの主、副（横、縦）の走査方向は、矩形状表示面３１（表示装置３）での主、副（横、縦）の走査方向に対応するから、出力画像データ３ｂの主、副（横、縦）の走査方向も入力画像データ１ｂでの主、副（横、縦）の走査方向に対応して出力させる。つまり、入力画像データ１ｂの横走査方向１ｂｈは、出力画像データ３ｂの主走査方向３ｂｍに対応し、入力画像データ１ｂの縦走査方向１ｂｖは、出力画像データ３ｂの副走査方向３ｂｓに対応する。しかし、縦長の画像データである入力画像データ１ｂのサイズ比と矩形状表示面３１のサイズ比とは縦横逆の関係にある。したがって、例えば、入力画像データ１ｂの縦走査方向１ｂｖの画像データを出力画像データ３ｂの副走査方向３ｂｓの画像データとして対応させて表示する場合には、矩形状表示面３１の左右に無表示領域３１ｓが発生する。また、入力画像データ１ｂの横走査方向１ｂｈの画像データを出力画像データ３ｂの主走査方向３ｂｍの画像データとして対応させて表示する場合には、逆に「Ｂ」の下部が表示されない状態が発生する。
【０００５】
【特許文献１】
特開平１１−１０９８８５号公報
【０００６】
【発明が解決しようとする課題】
上述したように従来のインターフェース装置では、縦長の入力画像データを表示装置で表示する場合には矩形状表示面の左右に無表示領域が生じ全面を有効に活用できない。また、無表示領域を生じないようにすると、入力画像データの一部しか表示できないという問題がある。しかし、このような縦長の入力画像データの場合には、インターフェース装置で入力画像データの走査方向を縦横変換することにより、表示領域全面を有効に利用することが可能となる。走査方向を変換する技術として、本願出願人による特願２００２−２９４１１６のような縦横走査方向変換技術（縦横画像データ配列変換技術）がある。
【０００７】
しかし、上述した縦横走査方向変換技術により、縦横走査方向の変換をする場合には、インターフェース装置の利用者（ユーザ）は入力画像データが縦長か横長かを確認した上でインターフェース装置の縦横走査方向変換機能のオンオフ切り替え操作をすることが必要となり、操作性に問題がある。
【０００８】
本発明は、斯かる問題に鑑みてなされたものであり、入力画像データの横走査方向の解像度（横走査方向解像度、横解像度）と縦走査方向の解像度（縦走査方向解像度、縦解像度）とを比較して、入力画像データの縦走査方向解像度が横走査方向解像度より大きい場合（つまり、縦長の入力画像データの場合）には、入力画像データの横走査方向画像データを出力画像データの副走査方向画像データに、入力画像データの縦走査方向画像データを出力画像データの主走査方向画像データにそれぞれ変換して、入力画像データと出力画像データとの間で走査方向を利用者の操作によらずに自動的に相互に変換することにより、入力画像データが横長、縦長いずれの場合であっても、矩形状表示面の全面を有効に活用して表示することが可能な操作性の良いインターフェース装置を提供することを目的とする。
【０００９】
本発明の他の目的は、上述したインターフェース装置を用いることにより、入力画像データが横長、縦長いずれの場合であっても、矩形状表示面の全面を有効に活用して表示することが可能な表示装置を提供することにある。
【００１０】
本発明の他の目的は、入力画像データの横走査方向解像度と縦走査方向解像度とを比較して、入力画像データの縦走査方向解像度が横走査方向解像度より大きい場合（縦長の入力画像データの場合）には、入力画像データの横走査方向画像データを出力画像データの副走査方向画像データに、入力画像データの縦走査方向画像データを出力画像データの主走査方向画像データにそれぞれ変換して、入力画像データと出力画像データとの間で走査方向を利用者の操作によらずに自動的に相互に変換することにより、入力画像データが横長、縦長いずれの場合であっても、矩形状表示面の全面を有効に活用して表示することが可能なインターフェース装置における画像データ変換方法を提供することにある。
【００１１】
【課題を解決するための手段】
第１発明に係るインターフェース装置は、画像データ形成装置から入力された入力画像データを表示装置に適合した出力画像データに変換して出力するインターフェース装置において、入力画像データの横走査方向解像度及び縦走査方向解像度を検出する解像度検出手段と、該解像度検出手段により検出された横走査方向解像度及び縦走査方向解像度を比較する解像度比較手段と、入力画像データの縦走査方向解像度が横走査方向解像度より大きい場合に、入力画像データの縦走査方向画像データを出力画像データの主走査方向画像データに変換し、入力画像データの横走査方向画像データを出力画像データの副走査方向画像データに変換する走査方向変換手段とを備えることを特徴とする。
【００１２】
第２発明に係るインターフェース装置は、第１発明において、前記解像度検出手段は、入力画像データの横走査方向又は縦走査方向それぞれにおける表示の開始位置及び終了位置を規定して入力画像データが有効となる期間を特定するデータ有効信号に基づいて、横走査方向解像度又は縦走査方向解像度を検出することを特徴とする。
【００１３】
第３発明に係る表示装置は、長辺及び短辺を有する矩形状表示面の長辺方向を主走査方向とする表示装置において、第１発明または第２発明に記載のインターフェース装置を備えることを特徴とする。
【００１４】
第４発明に係る表示装置は、第３発明において、前記矩形状表示面の配置を縦長又は横長にするために矩形状表示面を回転する表示面回転手段を備えることを特徴とする。
【００１５】
第５発明に係る画像データ変換方法は、画像データ形成装置から入力された入力画像データを表示装置に適合した出力画像データに変換して出力するインターフェース装置での画像データ変換方法において、入力画像データの横走査方向解像度及び縦走査方向解像度を検出する過程と、検出された横走査方向解像度及び縦走査方向解像度を比較する過程と、入力画像データの縦走査方向解像度が横走査方向解像度より大きい場合に、入力画像データの縦走査方向画像データを出力画像データの主走査方向画像データに変換し、入力画像データの横走査方向画像データを出力画像データの副走査方向画像データに変換して走査方向を変換する過程とを備えることを特徴とする。
【００１６】
第１発明にあっては、縦走査方向の解像度が横走査方向の解像度より大きい場合には、入力画像データの縦走査方向を出力画像データの主走査方向に、入力画像データの横走査方向を出力画像データの副走査方向にそれぞれ変換することとしたので、入力画像データが横長の画像データ、縦長の画像データのいずれであっても、矩形状表示面の全面を利用した表示が可能なインターフェース装置を提供できる。
【００１７】
第２発明にあっては、ＴＭＤＳレシーバによりデコードされ出力されるデータ有効信号に基づいて縦走査方向解像度、横走査方向解像度解像度を検出することから極めて簡単かつ正確に解像度を検出することが可能なインターフェース装置を提供できる。
【００１８】
第３発明にあっては、本発明に係るインターフェース装置を備えた表示装置とすることから、縦長、横長いずれの入力画像データに対しても表示面の全面を有効に利用した表示が可能な表示装置を提供できる。
【００１９】
第４発明にあっては、表示面回転手段を備えることから、据え置き型の表示装置であっても、縦長画像は縦長の状態で、横長画像は横長の状態で表示することが可能な表示装置を提供できる。
【００２０】
第５発明にあっては、入力画像データの縦走査方向解像度が横走査方向解像度より大きい場合に、入力画像データの縦走査方向画像データ及び横走査方向画像データを、それぞれ出力画像データの主走査方向画像データ及び副走査方向画像データに変換することにより入力画像データと出力画像データとの間で走査方向を縦横相互に変換することとしたので、入力画像データが横長の画像データ、縦長の画像データのいずれであっても、矩形状表示面の全面を利用した表示を可能とするインターフェース装置での画像データ変換方法を提供できる。
【００２１】
【発明の実施の形態】
以下、本発明をその実施の形態を示す図面に基づいて説明する。
図１は本発明に係るインターフェース装置の動作原理を説明する原理図である。同図（ａ）は、例えば画像「Ａ」を横長画像状態で表示するために入力画像データが横長に生成された場合を示し、（ｂ）は、例えば画像「Ｂ」を縦長画像状態で表示するために入力画像データが縦長に生成された場合を示す。１は画像データ形成装置であり、例えばパーソナルコンピュータなどで構成され、画像形成ソフトウエアなどを適宜用いて入力画像データ１ａ、１ｂを生成することができる。また、入力画像データ１ａ、１ｂは画像データ形成装置１の外部から通信回線などを介して受信した画像データを用いて生成することもできる。入力画像データ１ａ、１ｂは画像データ形成装置１からインターフェース装置２へ入力される。インターフェース装置２は入力画像データ１ａ、１ｂを表示装置３に適合した出力画像データ３ａ、３ｂに変換し、出力画像データ３ａ、３ｂを表示装置３へ出力する。
【００２２】
表示装置３は長辺及び短辺を有する矩形状表示面３１を有し、矩形状表示面３１の周囲は枠部３２で囲まれている。通常、表示装置３での走査は、長辺方向を主走査方向としているから、長辺方向での走査を主走査方向３ａｍ、３ｂｍとして模式的に示し、短辺方向での走査は副走査方向３ａｓ、３ｂｓとして模式的に示す。なお、以下において、矩形状表示面３１に表示された状態と出力画像データ３ａ、３ｂとは同義に扱うことがある。また、入力画像データ１ａ、１ｂ、出力画像データ３ａ、３ｂ、表示装置３（矩形状表示面３１）において、解像度は各走査方向におけるドット数（ピクセル数）で表すものとする。
【００２３】
同図（ａ）において、入力画像データ１ａの横方向での走査を模式的に横走査方向１ａｈとして、縦方向での走査を模式的に縦走査方向１ａｖとして示す。画像データ形成装置１では、通常、横走査方向１ａｈが主走査方向、縦走査方向１ａｖが副走査方向を構成する。横長に生成された入力画像データ１ａでは、横走査方向１ａｈの解像度は例えば１２８０（ドット）であり、縦走査方向１ａｖの解像度は例えば７６８（ドット）であり、横走査方向解像度は縦走査方向解像度より大きい。このように横走査方向解像度が縦走査方向解像度より大きい場合には、入力画像データ１ａでの主走査方向（横走査方向１ａｈ）対副走査方向（縦走査方向１ａｖ）のサイズ比は、矩形状表示面３１の主走査方向３ａｍ（長辺方向）対副走査方向３ａｓ（短辺方向）のサイズ比にほぼ対応する。したがって、出力画像データ３ａの主走査方向３ａｍ（長辺方向）及び副走査方向３ａｓ（短辺方向）は、入力画像データ１ａでの主（横）、副（縦）の走査方向をそのまま維持して（すなわち、走査方向の変換はしないで）出力させれば良い。つまり、入力画像データ１ａの横走査方向１ａｈは、出力画像データ３ａの主走査方向３ａｍに対応させ、入力画像データ１ａの縦走査方向１ａｖは、出力画像データ３ａの副走査方向３ａｓに対応させる。これにより、入力画像データ１ａは矩形状表示面３１に出力画像データ３ａとして横長画像状態でほぼそのまま表示され、矩形状表示面３１は、従来技術と同様全面を表示面として利用することができる。
【００２４】
同図（ｂ）において、入力画像データ１ｂの横方向での走査を模式的に横走査方向１ｂｈとして、縦方向での走査を模式的に縦走査方向１ｂｖとして示す。上述したように、画像データ形成装置１では、通常、横走査方向１ｂｈが主走査方向、縦走査方向１ｂｖが副走査方向を構成する。縦長に生成された入力画像データ１ｂでは、横走査方向１ｂｈの解像度は例えば７６８（ドット）であり、縦走査方向１ｂｖの解像度は例えば１２８０（ドット）であり、縦走査方向解像度は横走査方向解像度より大きい。このように縦走査方向解像度が横走査方向解像度より大きい場合には、入力画像データ１ｂでの主走査方向（横走査方向１ｂｈ）対副走査方向（縦走査方向１ｂｖ）のサイズ比は、矩形状表示面３１の主走査方向３ｂｍ（長辺方向）対副走査方向３ｂｓ（短辺方向）のサイズ比と逆の関係になる。
【００２５】
したがって、矩形状表示面３１の全面を表示面として利用するためには、出力画像データ３ｂの主走査方向３ｂｍ（長辺方向）及び副走査方向３ｂｓ（短辺方向）は、入力画像データ１ｂでの主（横）走査方向及び副（縦）の走査方向をそれぞれ副走査方向及び主走査方向に変換して出力させる必要がある。つまり、インターフェース装置２は、入力画像データ１ｂの横走査方向１ｂｈが出力画像データ３ｂの副走査方向３ｂｓに対応し、入力画像データ１ｂの縦走査方向１ｂｖが出力画像データ３ｂの主走査方向３ｂｍに対応するように主副の走査方向を相互に置き換えて走査方向の変換をする。
【００２６】
このような走査方向の縦横変換をすることにより、縦長の画像データである入力画像データ１ｂは出力画像データ３ｂとして矩形状表示面３１の全面を利用した縦長画像状態でそのまま表示される。つまり、矩形状表示面３１は、縦長の画像データである入力画像データ１ｂを横長の画像データである入力画像データ１ａの場合と同様に全面を表示面として利用することができる。なお、ここでは矩形状表示面３１は縦長に配置された場合を示すが、長辺方向に主走査方向（３ｂｍ）を有する点は横長に配置された場合と同様である。また、矩形状表示面３１が横長に配置された場合には画像「Ｂ」は方向が９０度異なることになるが、矩形状表示面３１の全面を利用できることに変わりはない。
【００２７】
走査方向の縦横変換は、縦長の画像データである入力画像データ１ｂの縦走査方向１ｂｖでの画像データを矩形状表示面３１（出力画像データ３ｂ）の主走査方向３ｂｍでの画像データに、入力画像データ１ｂの横走査方向１ｂｈでの画像データを矩形状表示面３１（出力画像データ３ｂ）の副走査方向３ｂｓでの画像データに、それぞれ変換（対応させて再配置）することによりできる。走査方向の変換に関しては図６においてさらに詳述する。
【００２８】
図２は本発明に係るインターフェース装置からの出力画像データを表示装置において表示する場合の表示例を示す説明図である。同図（ａ）は、例えば画像「Ａ」を横長画像状態で表示するために出力画像データが横長に生成され、インターフェース装置から出力された場合を示し、（ｂ）（ｃ）は、例えば画像「Ｂ」を縦長画像状態で表示するために出力画像データが縦長に生成され、インターフェース装置から出力された場合を示す。なお、（ｂ）は表示装置の配置が横長配置、（ｃ）は表示装置の配置が縦長配置とされた場合を示す。
【００２９】
同図（ａ）において、インターフェース装置２から出力された出力画像データ３ａの横走査方向すなわち主走査方向３ａｍは表示装置３（矩形状表示面３１）の長辺方向すなわち主走査方向３ａｍと一致するから、図１において述べたように矩形表示面３１は、全面を表示面として出力画像データ３ａを表示することができる。（ｂ）において、走査方向を縦横変換されインターフェース装置２から出力された出力画像データ３ｂの縦走査方向すなわち主走査方向３ｂｍは表示装置３（矩形状表示面３１）の長辺方向すなわち主走査方向３ｂｍと一致するから、図１において述べたように矩形表示面３１は、全面を表示面として出力画像データ３ｂを表示することができる。なお、表示装置３の配置が横長であることから、縦長画像「Ｂ」は９０度回転した状態で表示される。この場合には、適宜表示装置３の矩形状表示面３１を回転するようにしても良く、回転した場合には（ｃ）の状態になる。（ｃ）において、走査方向を縦横変換されインターフェース装置２から出力された出力画像データ３ｂの縦走査方向すなわち主走査方向３ｂｍは表示装置３（矩形状表示面３１）の長辺方向すなわち主走査方向３ｂｍと一致するから、（ｂ）の場合と同様に矩形状表示面３１は、全面を表示面として出力画像データ３ｂを表示することができる。なお、表示装置の配置が縦長であることから、縦長画像「Ｂ」は本来の縦長画像状態でそのまま表示される。
【００３０】
横長画像状態、縦長画像状態いずれの場合においても、（ａ）（ｂ）（ｃ）で示したように矩形状表示面３１の全面を表示面とすることができるから、表示装置に矩形状表示面３１を回転する表示面回転手段（不図示）を備えることにより、画像を横長画像状態で表示する場合には横長配置として（ａ）の状態にし、画像を縦長画像状態で表示する場合には縦長配置として（ｃ）の状態にして表示することができる。つまり、表示面回転手段を備えることにより、入力画像データが横長画像状態、縦長画像状態いずれの場合でも、出力画像データ３ａ、３ｂが表示されたときの縦横関係を正常な状態で表示（横長画像は横長で全面表示、縦長画像は縦長で全面表示）する表示装置を実現できる。
【００３１】
表示装置３は据え置き型として説明したが、携帯電話、ＰＤＡなどのように自由に矩形状表示面３１の縦横配置の変更が可能な（表示面回転手段を用いなくても表示面の回転が可能な）電子機器について、本発明に係るインターフェース装置２、又は、本発明に係るインターフェース装置２を用いた表示装置３を用いれば、これら電子機器の利便性はさらに向上する。この際、表示装置３においてＯＳＤ（Ｏｎ    Ｓｃｒｅｅｎ    Ｄｉｓｐｌａｙ  ）などの操作手段を用いて走査方向の変換をする必要が無く、使用者に操作の負担を生じさせないで表示面の全面を用いた状態での表示が可能となる。
【００３２】
インターフェース装置２と表示装置３とは別個のものとして説明したが、インターフェース装置２を表示装置３の内部に一体的に設けても良く、本発明に係る表示装置は本発明に係るインターフェース装置を備えた構成とすることにより、さらに操作性の良い表示装置を実現できる。
【００３３】
図３は本発明に係るインターフェース装置の概略構成を示すブロック図である。インターフェース装置２は、入力部であるＴＭＤＳレシーバ２１とインターフェース処理部２２、解像度比較手段２５を主要構成とする。インターフェース処理部２２はさらに解像度検出手段２３、レジスタ２４、走査方向変換手段２６により構成される。画像形成装置１の出力端子としてのＤＶＩ（Ｄｉｇｉｔａｌ    Ｖｉｓｕａｌ  Ｉｎｔｅｒｆａｃｅ）コネクタ１１からＤＶＩ信号１１ｓがインターフェース装置２へ映像信号（入力画像データ）として入力される。インターフェース装置２から出力画像データ２２ｓが表示装置３へ映像信号として出力される。
【００３４】
ＤＶＩ信号１１ｓは、ＴＭＤＳ（Ｔｒａｎｓｉｔｉｏｎ    Ｍｉｎｉｍｉｚｅｄ    Ｄｉｆｆｅｒｅｎｔｉａｌ    Ｓｉｇｎａｌｉｎｇ  ）と呼ばれるシリアル転送方式によりＤＶＩコネクタ１１からインターフェース装置２へ入力される。ＤＶＩ信号１１ｓは、画像形成装置１においてエンコード（符号化）された４組の差動信号により構成される。ＴＭＤＳレシーバ２１は、この４組の差動信号をデコード（復号化）して、赤緑青各色のビデオデータ信号ＲＧＢ、水平同期信号ＨＳＹＮＣ、垂直同期信号ＶＳＹＮＣ、ビデオデータに同期するクロック信号ＣＬＯＣＫ、データ有効信号ＤＥから構成される映像信号に変換し、インターフェース処理部２２へ送る。ビデオデータ信号ＲＧＢは、各色８ビットの合計２４（３×８）ビットで構成される。クロック信号ＣＬＯＣＫは、１クロックで画像データ１ドットに対応する。
【００３５】
入力画像データ（１ａ、１ｂ）の解像度の測定は解像度検出手段２３により行われる。クロック信号ＣＬＯＣＫはビデオデータ信号ＲＧＢのドットクロックとなり、データ有効信号ＤＥがそのまま表示領域（ビデオデータ信号ＲＧＢの存在する領域）となるから、水平解像度（入力画像データの横走査方向解像度に対応）は１水平期間に対応するデータ有効信号ＤＥが有効な期間でのクロック信号ＣＬＯＣＫのクロック数を解像度検出手段２３によりカウントすることにより求まる。また、垂直解像度（入力画像データの縦走査方向解像度に対応）は１垂直期間に対応するデータ有効信号ＤＥが有効な期間での水平同期信号ＨＳＹＮＣ数を解像度検出手段２３によりカウントすることにより求まる。
【００３６】
解像度検出手段２３により求められた解像度はレジスタ２４に適宜登録される。解像度比較手段２５は、例えばマイクロコンピュータなどの制御装置により構成され、レジスタ２４に登録された解像度情報を取得し、水平解像度（横解像度）と垂直解像度（縦解像度）とを比較する。比較演算は例えば引き算又は割り算などを用いて適宜に行うことができる。横解像度（横走査方向解像度）／縦解像度（縦走査方向解像度）＞１、又は、横解像度（横走査方向解像度）−縦解像度（縦走査方向解像度）＞０であれば、横解像度は縦解像度より大きい。解像度比較の結果、縦解像度が横解像度より大きい場合には、解像度比較手段２５は走査方向変換手段２６へ走査方向を変換するように指示（指示信号）を出す。走査方向変換手段２６は解像度比較手段２５からの指示に従い走査方向変換機能をオン状態とし、図１において述べた原理に基づいて入力画像データの走査方向の縦横変換を行う。
【００３７】
図４はデータ有効信号ＤＥを説明する波形図である。横軸を時間軸とし、縦軸を信号状態として示す。ＴＭＤＳレシーバ２１から出力される水平同期信号ＨＳＹＮＣ又は垂直同期信号ＶＳＹＮＣと、これらに対応して同様に出力されるデータ有効信号ＤＥを示す。時間Ｔ１からＴ４までの期間は、水平同期信号ＨＳＹＮＣの場合には１水平期間を、垂直同期信号ＶＳＹＮＣの場合には１垂直期間を示す。データ開始時間Ｔ２は入力画像データの開始時間（表示の開始位置に対応）を、データ終了時間Ｔ３は入力画像データの終了時間（表示の終了位置に対応）をそれぞれ示す。データ開始時間Ｔ２からデータ終了Ｔ３までの期間Ｔｓはデータ有効信号ＤＥが有効となる期間（入力画像データが有効となる期間：表示領域に対応）であるから、１水平期間の場合には、期間Ｔｓでのクロック信号ＣＬＯＣＫのクロック数が水平解像度（横走査方向解像度）となり、１垂直期間の場合には、期間Ｔｓでの水平同期信号ＨＳＹＮＣ数が垂直解像度（縦走査方向解像度）となる。実際には時間Ｔ１を基準としてデータ開始時間Ｔ２及びデータ終了時間Ｔ３をそれぞれ測定し、その差をマイクロコンピュータ（例えば、解像度比較手段２５と共通に用いても良い）により期間Ｔｓの値として検出（算出）する。この期間Ｔｓから解像度を検出することができる。このような解像度の測定方法はＤＶＩ信号１１ｓが入力される場合には通常行われる方法である。
【００３８】
図５は解像度を比較して走査方向の変換をする画像データ変換過程を示すフローチャートである。解像度検出手段２３により求められた解像度はレジスタ２４に適宜記録されているから、解像度比較手段２５は、レジスタ２４に記録された解像度情報を取得する（ステップＳ１）。解像度比較手段２５は、さらに解像度の比較演算を行い（ステップＳ２）、横解像度と縦解像度の大小を比較して判定する（ステップＳ３）。比較演算は上述したとおり、引き算又は割り算など適宜計算式として設定し、マイクロコンピュータなどにより適宜実行できる。入力画像データが縦長、つまり縦走査方向解像度（縦解像度）が横走査方向解像度（横解像度）より大きい場合（ステップＳ３：ＮＯ）には、解像度比較手段２５は、走査方向変換の指示を出し、走査方向変換手段２６では入力画像データの走査方向が変換される（ステップＳ４）。入力画像データが横長、つまり横解像度が縦解像度より大きい場合（ステップＳ３：ＹＥＳ）には、解像度比較手段２５は、走査方向変換の指示は出さず、走査方向変換手段２６では入力画像データの走査方向は変換されない（ステップＳ５）。
【００３９】
図６は走査方向変換手段での走査方向変換過程の概略状況を示す説明図である。走査方向変換手段は短辺方向（横方向）を主走査方向とする縦長の入力画像データの走査方向を９０度回転させて長辺方向を主走査方向とする出力画像データを生成する。走査方向変換手段は一時格納メモリ、フレームメモリなどのハードウエアを用いて走査方向を変換する。
【００４０】
同図（ａ）は画像形成装置からインターフェース装置へ入力された入力画像データが縦長画像状態の「Ａ」である場合を示す。矢印付きの線は入力画像データでの横走査方向（主走査方向）を示す。入力画像データを縦横複数の画像データを含む細ブロック（細ブロックＢ１、Ｂ２を例示する）に分割して、細ブロック化を行う。（ｂ）は細ブロック化の状況を示し、入力画像データが例えば細ブロックＢ１、Ｂ２に分割されていることを示す。細ブロック化は細ブロック毎の画像データを一時的に記憶装置（一時格納メモリ）に格納することにより行う。記憶装置としては例えば静的に記憶が可能（クロックによるリフレッシュが不要）で消費電力の少ないＳＲＡＭ（Ｓｔａｔｉｃ    ＲＡＭ）を用いる。
【００４１】
同図（ｃ）はＳＲＡＭに一時記憶された細ブロックＢ１、Ｂ２について回転処理を施した状態を示す。回転処理は縦横複数の画像データの配置を例えば反時計回りに９０度回転させることにより行う。回転処理をした状態を示すために細ブロックＢ１、Ｂ２はそれぞれ細ブロックＢ１ｒ、Ｂ２ｒとして示している。斜線を施した画像データの位置が回転に伴い変更されていることを示す。（ｄ）は回転処理をした細ブロックをフレーム格納領域（フレームメモリ）に書き込んで再配置する状態を示す。フレーム格納領域としてはＳＤＲＡＭ（Ｓｙｎｃｈｒｏｎｏｕｓ    ＤＲＡＭ  ）を用いる。ＳＤＲＡＭは高速動作が可能であり、入力画像データ全体についての再配置を高速に処理することができる。この再配置により入力画像データの縦走査方向画像データを出力画像データの主走査方向（横走査方向）画像データに変換し、入力画像データの横走査方向画像データを出力画像データの副走査方向（縦走査方向）画像データに変換することができる。つまり、走査方向変換処理が行われる。
【００４２】
同図（ｅ）は走査方向変換処理の結果得られた出力画像データを示し、矢印付きの線は出力画像データでの主走査方向を示す。つまり、主走査方向が入力画像データでの横方向（短辺方向）から出力画像データでの縦方向（長辺方向）に変換されることになる。表示装置は通常長辺方向を主走査方向とすることから、インターフェース装置への入力が縦長の入力画像データであっても、長辺方向を主走査方向とする出力画像データに変換して出力するにより表示装置の全面を利用した表示が可能となる。
【００４３】
【発明の効果】
以上に詳述した如く、第１発明、第２発明にあっては、縦と横の解像度を比較して、入力画像データの縦方向の解像度が横方向の解像度より大きい（縦長の入力画像データを表示する）場合に、自動的に走査方向の主副を変更した出力画像データを生成することにより、出力画像データの走査方向を表示装置の走査方向と整合させるので、縦長、横長いずれの入力画像データに対しても利用者の操作によらずに表示装置の表示面の全面を利用した表示が可能になり、操作性が向上するという効果を奏する。また、ＴＭＤＳレシーバによりデコードされて出力されるデータ有効信号を用いて解像度の検出をすることから極めて容易に走査方向における解像度の大小を比較できるという効果を奏する。
【００４４】
第３発明、第４発明にあっては、本発明に係るインターフェース装置を備えた表示装置とすることから、縦と横の解像度を比較して、入力画像データの縦方向の解像度が横方向の解像度より大きい（縦長の入力画像データを表示する）場合に、自動的に走査方向の主副を変更した出力画像データを生成することにより、表示装置の走査方向と出力画像データの走査方向を整合させるので、縦長、横長いずれの入力画像データに対しても利用者の操作によらずに表示装置の表示面の全面を利用した表示が可能になり、操作性が向上するという効果を奏する。
【００４５】
第５発明にあっては、入力画像データの縦方向の解像度が横方向の解像度より大きい（縦長の入力画像データを表示する）場合に、縦と横の解像度を比較して、自動的に走査方向の主副を変更した出力画像データを生成することにより、表示装置の走査方向と出力画像データの走査方向とを整合させ、縦長、横長いずれの入力画像データに対しても利用者の操作によらずに表示装置の表示面の全面を利用した表示が可能になり、インターフェース装置の操作性が向上するという効果を奏する。
【図面の簡単な説明】
【図１】本発明に係るインターフェース装置の動作原理を説明する原理図である。
【図２】本発明に係るインターフェース装置からの出力画像データを表示装置において表示する場合の表示例を示す説明図である。
【図３】本発明に係るインターフェース装置の概略構成を示すブロック図である。
【図４】データ有効信号を説明する波形図である。
【図５】解像度を比較して走査方向の変換をする画像データ変換過程を示すフローチャートである。
【図６】走査方向変換手段での走査方向変換過程の概略状況を示す説明図である。
【図７】従来のインターフェース装置での入力画像データから出力画像データへの画像データの変換を模式的に示す説明図である。
【符号の説明】
１  画像データ形成装置
２  インターフェース装置
３  表示装置
１１  ＤＶＩコネクタ
２１  ＴＭＤＳレシーバ
２２  インターフェース処理部
２３  解像度検出手段
２４  レジスタ
２５  解像度比較手段
２６  走査方向変換手段
Ｂ１、Ｂ２、Ｂ１ｒ、Ｂ２ｒ  細ブロック
ＤＥ  データ有効信号
【図１】
2004184745.tif 000003
【図２】
2004184745.tif 000004
【図３】
2004184745.tif 000005
【図４】
2004184745.tif 000006
【図５】
2004184745.tif 000007
【図６】
2004184745.tif 000008
【図７】
2004184745.tif 000009